(57)【特許請求の範囲】
【請求項１】
裏面側に下方向に開口した第１の収容凹部が設けられた天板と、
前記天板の裏面側を上向きにしたときには前記第１の収容凹部内に収容され、前記天板の表面側を上向きにしたときには自重により前記第１の収容凹部から一部が突出するロック部材と、
前記天板の裏面側に回動自在に蝶着された天板支持用の脚と、
前記天板の裏面側に立設され、前記脚の回動方向に延びる平行な対向する第１及び第２の案内壁面と、
前記第１及び第２の案内壁面で囲まれた領域内に突設された係止部材と、
前記係止部材から所定距離離れて前記第１及び第２の案内壁面に形成された鉤形の係止部及び該係止部に連通する段差部をそれぞれ有する第１及び第２の案内溝と、
一端が前記脚に回動自在に蝶着され、他端に摺動軸が取り付けられ、前記摺動軸の両端部が前記第１及び第２の案内溝内に摺動自在に挿入されて前記係止部及び前記段差部に係合する連結部材と、
前記摺動軸に取り付けられ、前記第１及び第２の案内壁面に沿って前記天板の裏面側を転動するローラと、
前記脚の蝶着箇所付近から前記第１及び第２の案内溝の係止部付近までの間を、前記第１及び第２の案内壁面に沿って前記天板の裏面側を摺動する摺動部材と、
前記天板の裏面側に接する前記摺動部材の裏面側に設けられ、前記天板の表面側を上向きにしたときには前記第１の収容凹部から突出する前記ロック部材の一部を受け入れて前記摺動部材を固定し、前記天板の裏面側を上向きにしたときには前記受け入れたロック部材をこの自重により飛び出させて前記摺動部材の固定状態を解除させる第２の収容凹部と、
前記摺動部材を前記第１及び第２の案内溝の係止部方向へ付勢する弾性部材と、
前記摺動部材の表面側に突設され、前記弾性部材の付勢力によって前記係止部材と当接する取っ手と、
前記摺動部材の表面側の端部に形成され、前記弾性部材の付勢力により前記ローラを前記第１及び第２の案内溝の係止部側に押し付けて、前記ロック部材による前記摺動部材の固定時に前記摺動軸を前記係止部に係合させるテーパ状の突当部と、
を備えたことを特徴とする折り畳みテーブル。
【請求項２】
請求項１記載の折り畳みテーブルにおいて、
前記ロック部材は、球状又は柱状の部材で構成したことを特徴とする折り畳みテーブル。
【請求項３】
請求項１記載の折り畳みテーブルにおいて、
細長い板状の第１及び第２のレールを前記天板の裏面側に平行に立設し、前記第１及び第２のレールの対向する内壁面により、前記第１及び第２の案内壁面を構成したことを特徴とする折畳テーブル。
【請求項４】
請求項１記載の折り畳みテーブルにおいて、
前記段差部に対する前記摺動軸の係合時に、前記ローラが係止するための他の段差部を、前記天板の裏面側に設けたことを特徴とする折畳テーブル。
【請求項５】
請求項１記載の折り畳みテーブルにおいて、
第１の脚固定部材を、前記脚の端部に取り付け、
前記第１の脚固定部材に対して着脱自在の第２の脚固定部材を、前記脚の折り畳み時の前記端部に対応する前記天板の裏面側に取り付け、
前記第１及び第２の脚固定部材は、互いに吸着可能な永久磁石、又はいずれか一方を永久磁石、他方を被吸着金属により構成したことを特徴とする折り畳みテーブル。
【請求項６】
請求項１〜５のいずれか１項に記載の折り畳みテーブルにおいて、
前記天板、前記脚、前記第１、第２の案内壁面、前記第１、第２の案内溝、前記連結部材、前記ローラ、前記摺動部材、前記取っ手、及び前記突当部は、木製であることを特徴とする折り畳みテーブル。
【発明の詳細な説明】
【０００１】
【発明の属する技術分野】
【０００２】
本発明は、不注意により、あるいは脚の折り畳み時に、脚が急激に折り畳まれ天板が倒れて怪我をすること等を防止できる安全性の高い折り畳みテーブルに関するものである。
【０００３】
【従来の技術】
【０００４】
従来、折り畳みテーブルに関する技術としては、例えば、次のような文献に記載されるものがあった。
【０００５】
文献１；特開平８−１２６５２７号公報（折り畳み机）
文献２；特開平１０−１７９２６１号公報（脚の折り畳み装置）
文献３；特開平１０−３２７９３８号公報（折り畳み用角度調節器具）
文献４；特開２０００−３７２３３号公報（脚折れテーブルの脚折れ機構）
【０００６】
文献１の折り畳み机では、天板の裏面に、取付金具により脚が回動自在に取り付けられている。脚の中央部付近に支持アームの一端が係合され、この支持アームの他端が、天板の裏面に取り付けられた摺動部材（スライド部材）により前記回動方向にスライドするようになっている。支持アームの他端は、ばねで付勢された係合突起により、スライド部材の所定位置で固定（ロック）されるようになっている。
【０００７】
文献２の脚の折り畳み装置では、天板の裏面に脚が回動自在に取り付けられている。脚の回動部分には、ロックプレートが取り付けられ、操作レバーを操作してロックプレートを退避させることにより、立脚状態にある脚のロックを解除してこの脚を中間位置で一旦仮保持させる。次に、脚を倒す方向に押圧すると、ロックプレートが退避して中間位置にある脚の仮保持状態が解除され、脚を収納位置まで折り畳むことができるようになっている。
【０００８】
文献３の折り畳み用角度調節器具では、天板の裏面に脚が回動自在に取り付けられている。脚の回動部分には、角度調節器具が取り付けられている。角度調節器具は、コイルばねで付勢された係合部材を、ブッシュロッドで受け部材内に押し込むことにより、脚の固定状態を解除し、脚を折り畳めるようになっている。
【０００９】
文献４の脚折れテーブルの脚折れ機構では、天板の裏面に脚が回動自在に取り付けられている。脚の回動部分には、脚を固定するためのロック球を昇降自在に収容する案内金具（ガイド金具）が取り付けられている。脚が起立した使用状態では、ロック球がガイド金具と脚との間に介入して、脚の起立状態がロックされる。天板が下側になるようにテーブルを反転したときには、ロック球が自重により下降して脚より外れ、脚のロックが解除されるので、脚を折り畳むことができるようになっている。
【００１０】
【発明が解決しようとする課題】
【００１１】
しかしながら、従来の脚の折り畳み構造では、次のような課題があった。
【００１２】
文献１の技術では、脚を回動方向に押圧することによりこの脚のロックが解除され、文献３の技術では、ブッシュロッドを押し込むことにより脚のロックが解除され、さらに、文献４の技術では、テーブルを反転すると、ロック球が自重により下降して脚のロックが解除され、それぞれ簡単に脚を天板の裏面側に折り畳むことができる。しかし、脚のロックが簡単に解除されるので、脚を折り畳むと同時にこの脚が急激に倒れたり、天板が急激に倒れたりして、手や足等を挟んで怪我をすることがあった。特に、子供や老人等が操作すると、その危険性が大きかった。
【００１３】
これに対し、文献２の技術では、脚を折り畳む際に、操作レバーを操作して脚を中間位置で一旦仮保持させるので、前記の問題をある程度解決できる。しかし、仮保持後、脚を倒す方向に押圧するだけで、その脚が簡単に天板の裏面側に折り畳まれるので、脚が頑丈で重量が重い場合には倒れる速度も速く、子供や老人等に対する安全性が充分とは言えなかった。しかも、脚の回動部分に取り付けたロックプレートでロックする構造であるため、ロックプレート部分に大きな応力が働き、機械的強度の劣化の虞もあった。
【００１４】
又、文献１〜４の技術では、脚の起立状態において、外力により、テーブルが水平方向にがたついたり、脚のロック部分に大きな力が働いてこのロック部分の機械的強度が劣化し、この劣化が進行すると、ロック部分が破損するといった問題もあった。
【００１５】
本発明は、前記従来技術が持っていた課題を解決し、安全性が高く、脚の起立状態においてがたつきがなく、機械的強度の大きい、信頼性に優れる折り畳みテーブルを提供することを目的とする。
【００１６】
【課題を解決するための手段】
【００１７】
前記課題を解決するために、本発明のうちの第１の発明では、折り畳みテーブルにおいて、裏面側に下方向に開口した第１の収容凹部が設けられた天板と、前記天板の裏面側を上向きにしたときには前記第１の収容凹部内に収容され、前記天板の表面側を上向きにしたときには自重により前記第１の収容凹部から一部が突出するロック部材と、前記天板の裏面側に回動自在に蝶着された天板支持用の脚と、前記天板の裏面側に立設され、前記脚の回動方向に延びる平行な対向する第１及び第２の案内壁面と、前記第１及び第２の案内壁面で囲まれた領域内に突設された係止部材と、前記係止部材から所定距離離れて前記第１及び第２の案内壁面に形成された鉤形の係止部及び該係止部に連通する段差部をそれぞれ有する第１及び第２の案内溝と、を備えている。
【００１８】
さらに、一端が前記脚に回動自在に蝶着され、他端に摺動軸が取り付けられ、前記摺動軸の両端部が前記第１及び第２の案内溝内に摺動自在に挿入されて前記係止部及び前記段差部に係合する連結部材と、前記摺動軸に取り付けられ、前記第１及び第２の案内壁面に沿って前記天板の裏面側を転動するローラと、前記脚の蝶着箇所付近から前記第１及び第２の案内溝の係止部付近までの間を、前記第１及び第２の案内壁面に沿って前記天板の裏面側を摺動する摺動部材と、第２の収容凹部と、を備えている。前記第２の収容凹部は、前記天板の裏面側に接する前記摺動部材の裏面側に設けられ、前記天板の表面側を上向きにしたときには前記第１の収容凹部から突出する前記ロック部材の一部を受け入れて前記摺動部材を固定し、前記天板の裏面側を上向きにしたときには前記受け入れたロック部材をこの自重により飛び出させて前記摺動部材の固定状態を解除させるものである。
【００１９】
その上、前記摺動部材を前記第１及び第２の案内溝の係止部方向へ付勢する弾性部材と、前記摺動部材の表面側に突設され、前記弾性部材の付勢力によって前記係止部材と当接する取っ手と、テーパ状の突当部と、を備えている。前記テーパ状の突当部は、前記摺動部材の表面側の端部に形成され、前記弾性部材の付勢力により前記ローラを前記第１及び第２の案内溝の係止部側に押し付けて、前記ロック部材による前記摺動部材の固定時に前記摺動軸を前記係止部に係合させるものである。
【００２０】
第１の発明では、このような構成を採用したことにより、天板の表面側を上向きにした使用状態では、ロック部材が自重により、摺動部材の裏面側の第２の収容凹部に挿入され、このロック部材の一部が、天板の裏面側の第１の収容凹部内に突出して脚がロックされている。この状態で、摺動部材側の取っ手をロック解除の方向に引っ張っても、ロック部材により摺動部材が固定されて動かないので、ロックを解除することができない。脚を折り畳む場合、テーブルを裏返せば、摺動部材の裏面側の第２の収容凹部からロック部材が自重により飛び出してロックが解除される。摺動部材側の取っ手をロック解除の方向に引っ張れば、ローラの摺動軸と案内溝の係止部との係合状態が解除され、脚を折り畳むことができる。この際、摺動軸が案内溝の段差部に係合するので、脚が所定角度だけ１段倒れた状態に保持される。
【００２１】
第２の発明では、第１の発明の折り畳みテーブルにおいて、前記ロック部材は、球状又は柱状の部材で構成している。
【００２３】
第３の発明では、第１の発明の折り畳みテーブルにおいて、細長い板状の第１及び第２のレールを前記天板の裏面側に平行に立設し、前記第１及び第２のレールの対向する内壁面により、前記第１及び第２の案内壁面を構成している。
【００２４】
第４の発明では、第１の発明の折り畳みテーブルにおいて、前記段差部に対する前記摺動軸の係合時に、前記ローラが係止するための他の段差部を、前記天板の裏面側に設けている。
【００２５】
第５の発明では、第１の発明の折り畳みテーブルにおいて、第１の脚固定部材を、前記脚の端部に取り付け、前記第１の脚固定部材に対して着脱自在の第２の脚固定部材を、前記脚の折り畳み時の前記端部に対応する前記天板の裏面側に取り付けている。さらに、前記第１及び第２の脚固定部材は、互いに吸着可能な永久磁石、又はいずれか一方を永久磁石、他方を被吸着金属により構成している。
【００２６】
第６の発明では、第１〜第５のいずれか１つの発明の折り畳みテーブルにおいて、前記天板、前記脚、前記第１、第２の案内壁面、前記第１、第２の案内溝、前記連結部材、前記ローラ、前記摺動部材、前記取っ手、及び前記突当部は、木製である。
【００２７】
【発明の実施の形態】
【００２８】
（構成）
【００２９】
図１は本発明の実施形態を示す折り畳みテーブルの裏面側の全体の斜視図、図２は図１の脚部分を示す拡大斜視図である。図３（Ａ）、（Ｂ）は図２に対応する断面図であって、同図（Ａ）は縦断面図、及び同図（Ｂ）はロック部分に作用する力の関係を示す拡大部分断面図である。更に、図４は図２中の摺動部材部分を拡大した分解斜視図である。
【００３０】
この折り畳みテーブルは、例えば、全体が木製でできており、貼り付け合板等で形成された長方形の天板１０と、該天板１０の裏面側のほぼ中央において長手方向に平行に立設された細長い板状の第１及び第２のレール２０−１，２０−２と、該第１及び第２のレール２０−１，２０−２の両端においてこれに対してほぼ直角方向に天板１０の裏面に固定された第１及び第２の軸受け部材３０−１，３０−２と、該第１、第２の軸受け部材３０−１，３０−２にそれぞれ回動自在に蝶着された天板支持用の脚４０−１，４０−２と、一端が脚４０−１，４０−２に回動自在に蝶着され、他端が第１と第２のレール２０−１，２０−２間で摺動する第１及び第２の連結部材５０−１，５０−２と、第１と第２のレール２０−１，２０−２間内で摺動して第１、第２の連結部材５０−１，５０−２のロックとこの解除をそれぞれ行う第１及び第２の摺動部材６０−１，６０−２と、で構成されている。
【００３１】
第１と第２のレール２０−１，２０−２間において、該レール２０−１，２０−２の両端部付近の天板１０の裏面側には、下方向に開口した２つの第１の収容凹部１１が形成されている。各収容凹部１１内には、金属製等のロック部材（例えば、ロック球）１２がそれぞれ収容される。各ロック球１２は、天板１０の裏面側を上向きにしたときに、該ロック球端部が各収容凹部１１の開口面内に位置する状態でそれぞれ収容される。天板１０の表面側を上向きにしたときには、各ロック球１２が自重により各収容凹部１１からそれぞれ飛び出すようになっている。ロック球１２は、収容凹部１１との接触面積が小さく、転がりやすいので、円滑に移動する。
【００３２】
第１と第２のレール２０−１，２０−２間において、各収容凹部１１から所定距離隔てて天板中央部方向に、所定の長さの２つの案内凹部１３が天板１０の裏面に形成されている。各案内凹部１３における天板中央部側の端部に形成される段差部１３ａは、各連結部材５０−１，５０−１の他端を係止するストッパ機能を有している。
【００３３】
レール２０−１，２０−２の外の天板１０の裏面において、折り畳んだ脚４０−１，４０−２に対応する例えば４箇所の位置に、該脚４０−１，４０−２を着脱自在に固定するための各一対の第２の脚固定部材１４−１，１４−２，１４−３，１４−４が取り付けられている。各脚固定部材１４−１〜１４−４は、例えば、木製の円柱部材に永久磁石１４ａを埋め込んだ構造をしている。又、レール２０−１，２０−２のほぼ中央の外側には、折り畳んだテーブルを引っ掛けて持ち運ぶための例えば２つの取っ手１５−１，１５−２が取り付けられている。
【００３４】
第１及び第２のレール２０−１，２０−２の対向する内壁面は、連結部材５０−１，５０−２の他端と摺動部材６０−１，６０−２とにおける摺動時の案内をするための第１及び第２の案内壁面２１−１，２１−２を構成している。各案内壁面２１−１，２１−２の両端側（即ち、軸受け部材３０−１，３０−２側）には、対向する各一対の案内レール２２が突設され、各摺動部材６０−１，６０−２の表面両側部と係合するようになっている。この各一対の案内レール２２と天板１０の裏面とで、少し隙間をおいて各摺動部材６０−１，６０−２を上下から挟み、この各摺動部材６０−１，６０−２を摺動させるようになっている。
【００３５】
各一対の案内レール２２上には、各摺動部材６０−１，６０−２と当接してこの移動範囲を規制するための各一対の係止部材２３が突設されている。各一対の案内レール２２の下の軸受け部材３０−１，３０−２側には、各一対のばね受け部２４が設けられ、各一対の弾性部材（例えば、コイルばね）２５の一端を係止するようになっている。各一対のコイルばね２５は、各摺動部材６０−１，６０−２をレール２０−１，２０−２の中央部方向へ付勢し、この各摺動部材６０−１，６０−２を各一対の係止部材２３に当接させる機能を有している。
【００３６】
各案内壁面２１−１，２１−２において、各案内レール２２と各レール２０−１，２０−２の中央部との間には、各連結部材５０−１，５０−２の他端側を摺動させるための第１及び第２の案内溝２６がそれぞれ形成されている。各案内溝２６における各案内レール２２側の一端には、それぞれ鉤形の係止部２６ａが形成され、この各係止部２６ａから他端側方向へ所定距離隔ててそれぞれ段差部２６ｂが形成され、されに該他端側にそれぞれローラ挿入部２６ｃが形成されている。
【００３７】
各軸受け部材３０−１，３０−２には、各中心軸に沿ってそれぞれ複数の第１の軸受け部３１−１，３１−２が設けられ、この各複数の第１の軸受け部３１−１，３１−２によって各回転軸３２−１，３２−２をそれぞれ複数箇所で支持するようになっている。各回転軸３２−１，３２−２は、断面が円形で、所定の長さ（例えば、各軸受け部材３０−１，３０−２とほぼ同一長さ）を有し、木等で形成されている。各回転軸３２−１，３２−２には、各脚４０−１，４０−２が回動自在に取り付けられている。
【００３８】
各脚４０−１，４０−２は、各梁部材４１−１，４１−２を有し、この各梁部材４１−１，４１−２の長手方向に各複数の第２の軸受け部４２−１，４２−２がそれぞれ設けられている。各複数の第２の軸受け部４２−１，４２−２は、各回転軸３２−１，３２−２にそれぞれ軸着されている。各回転軸３２−１，３２−２は、例えば、中心軸に対して少し湾曲形状にすると、これに軸着された各複数の第１の軸受け部３１−１，３１−２及び各複数の第２の軸受け部４２−１，４２−２との間のがたつきを簡単に防止できる。
【００３９】
各梁部材４１−１，４１−２には、各筋かい部材４３−１，４３−２の一端がそれぞれ固定され、この各筋かい部材４３−１，４３−２の他端に、各土台部材４４−１，４４−２がそれぞれ固定されている。各土台部材４４−１，４４−２の側部には、各一対の第１の脚固定部材４５−１，４５−２がそれぞれ取り付けられると共に、各土台部材４４−１，４４−２の底面に、各一対の滑り止め４６−１，４６−２，４６−３，４６−４がそれぞれ取り付けられている。各一対の第１の脚固定部材４５−１，４５−２は、各脚４０−１，４０−２を折り畳んだ時に、天板裏面側の各一対の第２の脚固定部材１４−１，１４−２，１４−３，１４−４に対してそれぞれ着脱自在に固定されるものであり、例えば、木製等の円柱部材に永久磁石４５ａを埋め込んだ構造をしている。
【００４０】
各筋かい部材４３−１，４３−２の交差箇所に、各軸受け部４７がそれぞれ突設されている。各軸受け部４７には、ボルト等の各回転軸４８を介して、第１、第２の連結部材５０−１，５０−２の各一端がそれぞれ回動自在に取り付けられている。各連結部材５０−１，５０−２の他端には、ボルト等の各摺動軸５１を介して、木製等の各ローラ５２−１，５２−２がそれぞれ回転自在に取り付けられている。各ローラ５２−１，５２−２の幅は、レール２０−１，２０−２間の幅よりも少し短く、該レール２０−１，２０−２間の天板裏面側を転動するようになっている。各摺動軸５１の両端は、各ローラ２０−１，２０−２の両端からそれぞれ少し突出しており、各ローラ挿入部２６ｃから各案内溝２６内に摺動自在に挿入され、各係止部２６ａと各段差部２６ｂにそれぞれ係合するようになっている。
【００４１】
各摺動部材６０−１，６０−２は、それぞれ平面がほぼ２本のフォーク形状をしており、このフォーク先端部の表面側に、各ローラ５２−１，５２−２を天板裏面から下方向へ押し付けるテーパ状の突当部６１−１，６１−２がそれぞれ形成されている。フォーク形状の両側面後半部には、段差状のばね受け部６２−１，６２−２及び切欠部６３−１，６３−２がそれぞれ形成されている。各切欠部６３−１，６３−２内に各コイルばね２５がそれぞれ収容され、この各コイルばね２５の両端部が、各ばね受け部６２−１，６２−２と各レール側のばね受け部２４とにそれぞれ当接している。各摺動部材６０−１，６０−２の裏面側には、自重により降下する各ロック球１２の一部を収容するための各第２の収容凹部６５がそれぞれ形成されている。
【００４２】
（動作）
【００４３】
図５は図２の脚４０−１を１段倒した状態の斜視図、図６は図５に対応する縦断面図、図７は図２の脚４０−１を折り畳んだ状態の斜視図、及び図８は図７に対応する縦断面図である。
【００４４】
以下、図１〜図８を参照しつつ、（Ａ）使用状態の動作、（Ｂ）折り畳み動作、（Ｃ）持ち運び動作、を説明する。
【００４５】
（Ａ）  天板１０の表面側を上向きにした使用状態（図１〜図４）の動作
【００４６】
天板１０の表面側を上向きにした使用状態では、該天板１０から脚４０−１，４０−２が下方向に立っている。各コイルばね２５の付勢力により、各摺動部材６０−１，６０−２がレール２０−１，２０−２の中央部方向へ押圧され、該各摺動部材６０−１，６０−２の突当部６１−１，６１−２により、各ローラ５２−１，５２−２が各レール２０−１，２０−２の案内溝２６の係止部２６ａ方向へ押圧されている。これにより、各ローラ５２−１，５２−２の両端部から突出した各摺動軸５１の両端部が、各案内溝２６の係止部２６ａ内に嵌入している。この際、各ロック球１２が自重により降下して、各摺動部材６０−１，６０−２の裏面側の収容凹部６５に挿入され、この各ロック球１２の一部が天板１０の裏面側の各収容凹部１１内に突出しているので、該摺動部材６０−１，６０−２がロックされて固定されている。
【００４７】
そのため、テーブルに外力をかけても、脚４０−１，４０−２ががたついたり、あるいは折り畳まれるようなことはない。例えば、図３（Ａ）、（Ｂ）において、脚４０−１の滑り止め４６−１，４６−２側の端部に、水平左方向に外力Ｆ１０が加わると、回転軸３２−１を軸として脚４０−１に左方向の回動力が作用する。この回動力により、回転軸４８に軸着された連結部材５０−１に、摺動軸５１方向の力Ｆ１１が作用する。力Ｆ１１の水平方向の分力Ｆ１２により、摺動軸５１が鉤形の係止部２６ａの略垂直面に押圧され、力Ｆ１１の垂直方向の分力Ｆ１３により、ローラ５２−１と接触する突当部６１−１，６１−２が押圧される。この押圧力により、突当部６１−１，６１−２のローラ５２−１との接触箇所に、垂直方向の分力Ｆ１４と水平方向の分力Ｆ１５が作用する（なお、図３（Ｂ）では、表現を簡単にするために、便宜的に力Ｆ１４，Ｆ１５の位置がずれて描かれている。）。垂直方向の分力Ｆ１４により、突当部６１−１，６１−２付近が案内凹部１３へ押し付けられる。水平方向の分力Ｆ１５により、突当部６１−１，６１−２が右方向へ移動する力が働く。この力は、案内凹部１３との摩擦力により減少し、この減少した小さな力Ｆ１６がロック球１２に作用するが、このロック球１２の一部が天板１０の裏面側の収容凹部１１内に突出して係合しているので、該力Ｆ１６が打ち消される。これにより、脚４０−１の左方向の回動が阻止される。
【００４８】
外力Ｆ１０に対して、逆方向の外力Ｆ２０が脚４０−１の端部に加わると、連結部材５０−１に、力Ｆ１１に対して逆方向の力Ｆ２１が作用する。この力Ｆ２１により、摺動軸５１が鉤形の係止部２６ａの傾斜面に押圧され、該力Ｆ２１が打ち消される。これにより、脚４０−１の右方向の回動が阻止され、しかもロック球１２には力が作用しない。
【００４９】
よって、外力Ｆ１０，Ｆ２０による脚４０−１のがたつきを防止でき、この脚４０−１を強固に固定できる。その上、ロック球１２に作用する力Ｆ１６は小さいので、このロック球１２の変形や破損を防止できる。
【００５０】
又、各摺動部材６０−１，６０−２の取っ手６４を天板１０の端部側に引っ張ってロックを解除しようとしても、各摺動部材６０−１，６０−２の裏面側の収容凹部６５に挿入された各ロック球１２の一部が、天板１０の裏面側の各収容凹部１１内に突出して係合しているので、ロックを解除することができない。これにより、使用中の不慮の事故を防止できる。
【００５１】
（Ｂ）  脚４０−１，４０−２の折り畳み（図５〜図８）の動作
【００５２】
脚４０−１，４０−２を折り畳むには、テーブルを裏返して天板１０の裏面側を上向きにする。すると、各摺動部材６０−１，６０−２の裏面側の収容凹部６５から各ロック球１２が自重により飛び出して、天板１０の裏面側の各収容凹部１１内に挿入され、ロック状態が解除される。各摺動部材６０−１，６０−２の取っ手６４を、コイルばね２５の付勢力に抗して、天板１０の端部側に引っ張ると、該摺動部材６０−１，６０−２の先端の突当部６１−１，６１−２が天板１０の端部側へ後退する。すると、各ロール５２−１，５２−２の摺動軸５１が自重により、各レール２０−１，２０−２の案内溝２６の係止部２６ａから下方向に飛び出し、係合状態が解除される。
【００５３】
回転軸３２−１，３２−２を中心軸にして、脚４０−１，４０−２をレール２０−１，２０−２の中央部方向へ押圧すると、連結部材５０−１，５０−２を介して、各摺動軸５１が各案内溝２６内を中央部方向へ摺動していくと共に、ローラ５２−１，５２−２が天板１０の裏面側を中央部方向へ転動していく。そして、各摺動軸５１が各案内溝２６の段差部２６ｂに当接すると共に、ローラ５２−１，５２−２が各案内凹部１３の段差部１３ａに当接すると、脚４０−１，４０−２が所定角度だけ１段倒れた状態に保持される。このため、手を挟む等といった怪我を防止できる。
【００５４】
脚４０−１，４０−２を更に倒すには、連結部材５０−１，５０−２のローラ５２−１，５２−２側を持ち上げ、このローラ５２−１，５２−２側の係合状態を解除する。そして、脚４０−１，４０−２をレール２０−１，２０−２の中央部方向へ押圧すると、連結部材５０−１，５０−２を介して、各摺動軸５１が各案内溝２６内を中央部方向へ摺動していくと共に、ローラ５２−１，５２−２が天板１０の裏面側を中央部方向へ転動していき、該脚４０−１，４０−２がレール２０−１，２０−２上に載置される。すると、脚４０−１，４０−２側の脚固定部材４５−１，４５−２が、天板１０側の脚固定部材１４−１〜１４−４に吸着されて固定され、脚４０−１，４０−２が折り畳まれた状態になる。
【００５５】
（Ｃ）  折り畳んだテーブル（図７、図８）の持ち運び動作
【００５６】
天板１０の裏面側の取っ手１５−１，１５−２を持てば、簡単に持ち運びができる。
【００５７】
（効果）
【００５８】
本実施形態では、次の（１）〜（６）のような効果がある。
【００５９】
（１）天板１０の表面側を上向きにした使用状態では、各ロック球１２が自重により、摺動部材６０−１，６０−２の裏面側の各収容凹部６５に挿入され、この各ロック球１２の一部が、天板１０の裏面側の各収容凹部１１内に突出して脚４０−１，４０−２がロックされている。このとき、各摺動軸５１が鉤形の各係止部２６ａに強固に固定され、しかも各ロック球１２には大きな力が加わらない。このため、テーブルに外力が加わっても、脚４０−１，４０−２ががたついたり、ロック球１２が変形や破損したり、あるいは脚４０−１，４０−２が折り畳まれるようなことはない。又、各摺動部材６０−１，６０−２の取っ手６４を天板１０の端部側に引っ張ってロックを解除しようとしても、各ロック球１２により該摺動部材６０−１，６０−２が固定されて動かないので、ロックを解除することができない。これにより、使用中の不慮の事故を防止できる。
【００６０】
（２）脚４０−１，４０−２を折り畳む場合、テーブルを裏返せば、各摺動部材６０−１，６０−２の裏面側の収容凹部６５から各ロック球１２が自重により飛び出してロックが解除されるので、各摺動部材６０−１，６０−２の取っ手６４を天板１０の端部側に引っ張れば、各ローラ５２−１，５２−２の摺動軸５１と各案内溝２６の係止部２６ａとの係合状態が解除され、脚４０−１，４０−２をレール２０−１，２０−２の中央部方向へ折り畳むことができる。この際、各摺動軸５１が各案内溝２６の段差部２６ｂに係合すると共に、各ローラ５２−１，５２−２が各案内凹部１３の段差部１３ａに係合し、脚４０−１，４０−２が所定角度だけ１段倒れた状態に保持されるので、この脚４０−１，４０−２が急激に倒れて手を挟む等といった怪我を防止できる。
【００６１】
（３）脚４０−１，４０−２を折り畳むと、この脚４０−１，４０−２の脚固定部材４５−１，４５−２が天板１０側の脚固定部材１４−１〜１４−４に吸着されて固定されるので、天板１０の裏側の取っ手１５−１，１５−２を持って簡単に持ち運びができる。
【００６２】
（４）例えば、回転軸３２−１，３２−２を少し湾曲形状にすると、これに軸着された軸受け部３１−１，３１−２と軸受け部４２−１，４２−２との間のがたつきを簡単に防止できる。
【００６３】
（５）脚固定部材１４−１〜１４−４，４５−１，４５−２を永久磁石１４ａ，４５ａで構成したので、脚固定部材１４−１〜１４−４と脚固定部材４５−１，４５−２との着脱が容易で、使い勝手が良い。
【００６４】
（６）脚４０−１，４０−２の折り畳み構造やロック構造は、簡単で、機械的強度も大きく、安全性も高い。しかも、テーブル全体が木製であるので、重量も軽く、持ち運びも容易である。
【００６５】
（変形例）
【００６６】
本発明は、上記実施形態に限定されず、種々の変形が可能である。この変形例としては、例えば、次の（ａ）〜（ｄ）のようなものがある。
（ａ）ロック球１２は、円柱、角柱等の他の形状のロック部材で構成してもよく、これに応じて収容凹部１１，６５の形状を変えれば良い。又、脚固定部材１４−１〜１４−４と脚固定部材４５−１，４５−２とは、いずれか一方を永久磁石、他方を被吸着金属で構成しても良く、あるいは、これらの脚固定部材１４−１〜１４−４，４５−１，４５−２をフック等の他の着脱自在の固定手段で構成しても良い。
【００６７】
（ｂ）案内壁面２１−１，２１−２は、２本のレール２０−１，２０−２の内壁面を用いて構成したが、これに限定されない。例えば、断面コ字状の１本のレールを用いてこの対向する内壁面で案内壁面を構成したり、あるいは、天板１０を厚くして溝を形成し、この溝の対向する内壁面で案内壁面を構成しても良い。
【００６８】
（ｃ）脚４０−１，４０−２の構造、連結部材５０−１，５０−２の摺動構造、及び摺動部材６０−１，６０−２の構造等は、図示以外の他の構造や形状に変更しても良い。
【００６９】
（ｄ）テーブルは、金属やプラスチック等で作っても良い。
【００７０】
【発明の効果】
【００７１】
以上詳細に説明したように、本発明のうちの第１及び第２の発明によれば、天板の表面側を上向きにした使用状態では、ロック部材が自重により、摺動部材の裏面側の第２の収容凹部に挿入され、このロック部材の一部が、天板の裏面側の第１の収容凹部内に突出して脚がロックされている。このとき、摺動軸が鉤形の係止部に強固に固定され、しかもロック部材には大きな力が加わらない。このため、テーブルに外力が加わっても、脚ががたついたり、ロック部材が変形や破損したり、あるいは脚が折り畳まれるようなことはない。しかも、摺動部材側の取っ手をロック解除の方向に引っ張ってロックを解除しようとしても、ロック部材により該摺動部材が固定されて動かないので、ロックを解除することができない。これにより、使用中の不慮の事故を防止できる。
【００７２】
又、脚を折り畳む場合、テーブルを裏返せば、摺動部材の裏面側の第２の収容凹部からロック部材が自重により飛び出してロックが解除されるので、摺動部材側の取っ手をロック解除の方向に引っ張れば、ローラの摺動軸と案内溝の係止部との係合状態が解除され、脚を折り畳むことができる。この際、摺動軸が案内溝の段差部に係合し、脚が所定角度だけ１段倒れた状態に保持されるので、脚が急激に倒れて手を挟む等といった怪我を防止できる。しかも、脚の折り畳み構造やロック構造は、簡単で、機械的強度も大きく、安全性も高い。
【００７４】
第３の発明によれば、第１及び第２のレールを用いて第１及び第２の案内壁面を構成したので、案内壁面を比較的簡単に形成できる。
【００７５】
第４の発明によれば、ローラ係止用の他の段差部を天板の裏面側に設けたので、脚が１段倒れた状態のときの保持力が大きくなって安全性がより向上する。
【００７６】
第５の発明によれば、第１及び第２の脚固定部材の両者を永久磁石、又はいずれか一方を永久磁石、他方を被吸着金属により構成したので、両者を簡単に着脱でき、使い勝手が良い。
【００７７】
第６の発明によれば、テーブルの主要部分が木製であるので、重量も軽く、持ち運びも容易である。
【図面の簡単な説明】
【図１】本発明の実施形態を示す折り畳みテーブルの裏面側の全体の斜視図である。
【図２】図１の脚部分の拡大斜視図である。
【図３】図２に対応する断面図である。
【図４】図２中の摺動部材部分の拡大分解斜視図である。
【図５】図２の脚を１段倒した状態の斜視図である。
【図６】図５に対応する縦断面図である。
【図７】図２の脚を折り畳んだ状態の斜視図である。
【図８】図７に対応する縦断面図である。
【符号の説明】
１０    天板
１１，６５    収容凹部
１２    ロック球
１３    案内凹部
１３ａ，２６ｂ    段差部
１４−１〜１４−４，４５−１，４５−２    脚固定部材
１４ａ，４５ａ    永久磁石
１５−１，１５−２，６４    取っ手
２０−１，２０−２    レール
２１−１，２１−２    案内壁面
２２    案内レール
２３    係止部材
２５    コイルばね
２６    案内溝
２６ａ    係止部
３０−１，３０−２    軸受け部材
３２−１，３２−２    回転軸
４０−１，４０−２    脚
４１−１，４１−２    梁部材
４３−１，４３−２    筋かい部材
４４−１，４４−２    土台部材
５０−１，５０−２    連結部材
５１    摺動軸
５２−１，５２−２    ローラ
６０−１，６０−２    摺動部材
６１−１，６１−２    突当部
【図１】
0003568513.tif 000002
【図２】
0003568513.tif 000003
【図３】
0003568513.tif 000004
【図４】
0003568513.tif 000005
【図５】
0003568513.tif 000006
【図６】
0003568513.tif 000007
【図７】
0003568513.tif 000008
【図８】
0003568513.tif 000009